(57)【特許請求の範囲】
【請求項１】
着用者の体液を吸収するおむつであって、
着用者の腹面にあてがわれる前腹部と、着用者の背面にあてがわれる後背部と、前記前腹部および後背部の間において幅方向にくびれた股部と、を有するおむつ本体部と、
前記後背部の両側縁部に基端部が固定された一対のファスニングテープと、
を備え、
前記一対のファスニングテープが、上タブおよび下タブを有し、
前記前腹部の外側面に、前記上タブおよび前記下タブが止着されるフロンタルテープが設けられ、
前記フロンタルテープの中央へ向かうにつれて前記股部側へ近づくように斜めに延びる第１ガイド線と、
前記フロンタルテープの中央へ向かうにつれて前記股部から離れるように斜めに延びる第２ガイド線と、
を含む図形を幅方向に複数配列した模様が、前記フロンタルテープに印刷または透写されており、
前記フロンタルテープの中央に近い図形ほど、前記第１ガイド線と前記第２ガイド線とのなす角度が小さいおむつ。
【請求項２】
請求項１に記載のおむつであって、
前記図形は、前記幅方向に直交する長手方向に、複数配列されているおむつ。
【請求項３】
請求項１または請求項２に記載のおむつであって、
前記フロンタルテープの前記幅方向の中央に、前記第１ガイド線および前記第２ガイド線が配置されていない中央領域が、設けられているおむつ。
【請求項４】
請求項１から請求項３までのいずれかに記載のおむつであって、
前記図形は、フロンタルテープの中央へ向けて突出する凸形状の図形であり、
前記第１ガイド線および前記第２ガイド線は、前記凸形状の図形の一部分であるおむつ。
【請求項５】
請求項４に記載のおむつであって、
前記凸形状の図形は、曲線により構成された波形状の図形であるおむつ。
【請求項６】
請求項４または請求項５に記載のおむつであって、
前記凸形状の図形は、円弧状の先端部を有し、
前記上タブおよび前記下タブは、円弧状の角部を有するおむつ。
【請求項７】
請求項４に記載のおむつであって、
前記凸形状の図形は、複数の略菱形の図形により構成された格子模様の一部分であるおむつ。
【請求項８】
請求項１から請求項７までのいずれかに記載のおむつであって、
前記第１ガイド線および前記第２ガイド線と、前記上タブおよび前記下タブとが、同色または近似色であるおむつ。
【発明の詳細な説明】
【技術分野】
【０００１】
本発明は、着用者の体液を吸収するおむつに関する。
【背景技術】
【０００２】
従来、成人用又は幼児用の使い捨ておむつとして、ファスニングテープを有するものが知られている。ファスニングテープを有する使い捨ておむつは、後背部の両側部に設けられた一対のファスニングテープを、前腹部に設けられたフロンタルテープに止着させることにより、着用者に固定される。
【０００３】
特に、近年では、ファスニングテープに設けられた２つのタブを、フロンタルテープ上で重ね止めすることを想定した使い捨ておむつが、提案されている。このような使い捨ておむつでは、一方のタブの上に、他方のタブを交差させるように重ねて、両タブをフロンタルテープに止着させる。これにより、着用者の腰周りおよび脚周りを締め付けつつ、使い捨ておむつを着用者に固定する。
【０００４】
従来の使い捨ておむつについては、例えば、特許文献１，２に開示されている。
【先行技術文献】
【特許文献】
【０００５】
【特許文献１】特開２００５−２９６６０３号公報
【特許文献２】特開２００８−６７８３１号公報
【発明の概要】
【発明が解決しようとする課題】
【０００６】
フロンタルテープの両側部付近において、２つのタブを重ね止めする場合には、高い締め付け力を得るために、２つのタブを大きい角度で交差させることが、好ましい。すなわち、上側のタブを大きく下向きに引っ張るとともに、下側のタブを大きく上向きに引っ張って、重ね止めをすることが好ましい。
【０００７】
一方、フロンタルテープの中央付近において、２つのタブを重ね止めする場合には、２つのタブを大きい角度で交差させると、締め付け力が過大となることがある。このため、着用者の圧迫感を軽減するために、２つのタブを小さい角度（平行に近い角度）で交差させることが好ましい。
【０００８】
しかしながら、従来では、使い捨ておむつを着用する際に、上記のような重ね止めの角度が、着用者自身または介護者の経験に基づいて、設定されていた。このため、着用者または介護者によっては、不適切な角度で重ね止めを行い、締め付け力が過大または過小となることがあり得た。
【０００９】
本発明は、このような事情に鑑みなされたものであり、ファスニングテープの２つのタブを、止着位置に応じた適切な角度で、フロンタルテープ上に重ね止めできるおむつを提供することを目的とする。
【課題を解決するための手段】
【００１０】
上記課題を解決するため、本願の第１発明は、着用者の体液を吸収するおむつであって、着用者の腹面にあてがわれる前腹部と、着用者の背面にあてがわれる後背部と、前記前腹部および後背部の間において幅方向にくびれた股部と、を有するおむつ本体部と、前記後背部の両側縁部に基端部が固定された一対のファスニングテープと、を備え、前記一対のファスニングテープのそれぞれが、上タブおよび下タブを有し、前記前腹部の外側面に、前記上タブおよび前記下タブが止着されるフロンタルテープが設けられ、前記フロンタルテープの中央へ向かうにつれて前記股部側へ近づくように斜めに延びる第１ガイド線と、前記フロンタルテープの中央へ向かうにつれて前記股部から離れるように斜めに延びる第２ガイド線と、を含む図形を幅方向に複数配列した模様が、前記フロンタルテープに印刷または透写されており、前記フロンタルテープの中央に近い図形ほど、前記第１ガイド線と前記第２ガイド線とのなす角度が小さい。
【００１１】
本願の第２発明は、第１発明のおむつであって、前記図形は、前記幅方向に直交する長手方向に、複数配列されている。
【００１２】
本願の第３発明は、第１発明または第２発明のおむつであって、前記フロンタルテープの前記幅方向の中央に、前記第１ガイド線および前記第２ガイド線が配置されていない中央領域が、設けられている。
【００１３】
本願の第４発明は、第１発明から第３発明までのいずれかのおむつであって、前記図形は、フロンタルテープの中央へ向けて突出する凸形状の図形であり、前記第１ガイド線および前記第２ガイド線は、前記凸形状の図形の一部分である。
【００１４】
本願の第５発明は、第４発明のおむつであって、前記凸形状の図形は、曲線により構成された波形状の図形である。
【００１５】
本願の第６発明は、第４発明または第５発明のおむつであって、前記凸形状の図形は、円弧状の先端部を有し、前記上タブおよび前記下タブは、円弧状の角部を有する。
【００１６】
本願の第７発明は、第４発明のおむつであって、前記凸形状の図形は、複数の略菱形の図形により構成された格子模様の一部分である。
【００１７】
本願の第８発明は、第１発明から第７発明までのいずれかのおむつであって、前記第１ガイド線および前記第２ガイド線と、前記上タブおよび前記下タブとが、同色または近似色である。
【発明の効果】
【００１８】
本願の第１発明〜第８発明によれば、第１ガイド線に沿って上タブを配置し、第２ガイド線に沿って下タブを配置すれば、フロンタルテープ上に、上タブと下タブとが、適切な角度で重ね止めされる。すなわち、フロンタルテープの両側部付近では、上タブと下タブとが、大きい角度で重ね止めされる。その結果、着用者の腰周りおよび脚周りが、しっかりと締め付けられる。一方、フロンタルテープの中央付近では、上タブと下タブとが、小さい角度で重ね止めされる。その結果、腰周りおよび脚周りにおける過度の締め付けが、抑制される。
【００１９】
特に、本願の第２発明によれば、フロンタルテープにおける上タブおよび下タブの長手方向の止着位置を、着用者の体型に応じて選択できる。
【００２０】
特に、本願の第３発明によれば、上タブおよび下タブの中央領域への止着が、抑制される。これにより、上タブおよび下タブによる過度の締め付けが、さらに抑制される。
【００２１】
特に、本願の第４発明によれば、一連の凸形状の図形の中に、第１ガイド線と第２ガイド線との双方を含めることができる。
【００２２】
特に、本願の第６発明によれば、上タブおよび下タブの角部を、凸形状の図形の先端部に、合わせやすい。
【００２３】
特に、本願の第８発明によれば、第１ガイド線および第２ガイド線と上タブおよび下タブとの対応関係が、視覚的により明確となる。したがって、第１ガイド線および第２ガイド線に沿って上タブおよび下タブを配置することを、促すことができる。
【図面の簡単な説明】
【００２４】
【図１】使い捨ておむつの斜視図である。
【図２】使い捨ておむつをトップシート側から見た平面図である。
【図３】使い捨ておむつをバックシート側から見た平面図である。
【図４】図２中のIV−IV位置から見た使い捨ておむつの断面図である。
【図５】フロンタルテープの平面図である。
【図６】フロンタルテープの両側部付近に、上タブと下タブとを止着させたときの様子を示した図である。
【図７】フロンタルテープの中央付近に、上タブと下タブとを止着させたときの様子を示した図である。
【図８】変形例に係るフロンタルテープの平面図である。
【図９】変形例に係るフロンタルテープの平面図である。
【発明を実施するための形態】
【００２５】
以下、本発明の好適な実施形態について、図面を参照しつつ説明する。
【００２６】
＜１．一実施形態に係るおむつ＞
図１は、本発明の一実施形態に係る使い捨ておむつ１の斜視図である。図２は、使い捨ておむつ１をトップシート１０側から見た平面図である。図３は、使い捨ておむつ１をバックシート２０側から見た平面図である。また、図４は、図２中のIV−IV位置から見た使い捨ておむつ１の断面図である。なお、図２および図３は、後述するサイドシート用弾性部材４１、腰周り用弾性部材５１、および脚周り用弾性部材５２を、いずれも伸長させた状態を示している。
【００２７】
図１〜図４に示すように、使い捨ておむつ１は、液透過性のトップシート１０と、液不透過性のバックシート２０と、両シート１０，２０の間に介在する吸収体３０と、を有するおむつ本体部２を備えている。使い捨ておむつ１の着用者が尿等の体液を排泄すると、当該体液は、トップシート１０を通過するが、バックシート２０を通過することはなく、トップシート１０とバックシート２０との間において、吸収体３０に吸収保持される。
【００２８】
おむつ本体部２は、着用者の腹面に宛がわれる前腹部２ａと、着用者の背面に宛がわれる後背部２ｂと、前腹部２ａおよび後背部２ｂを繋ぐ股部２ｃとを有している。以下では、前腹部２ａ、股部２ｃ、および後背部２ｂが連なる方向を「長手方向」と称し、長手方向に直交しかつおむつ本体部２の表面に沿う方向を「幅方向」と称する。おむつ本体部２は、前腹部２ａから後背部２ｂにかけて長手方向に延び、その中間に位置する股部２ｃにおいて、幅方向にくびれた形状となっている。
【００２９】
トップシート１０は、吸収体３０の内側（着用者の肌に近い側）に配置された、液透過性のシートである。トップシート１０は、前腹部２ａから後背部２ｂにかけて帯状に延び、その幅方向の寸法は、おむつ本体部２の外縁の幅方向の寸法よりも小さい。本実施形態のトップシート１０は、疎水性繊維（ポリプロピレン、ポリエチレン、ポリエステル、ポリアミド、ナイロン等）の表面を界面活性剤により処理して液透過性とした不織布により構成されている。なお、トップシート１０は、親水性繊維（セルロース、レーヨン、コットン等）を用いた不織布により構成されていてもよい。
【００３０】
バックシート２０は、吸収体３０の外側（着用者の肌から遠い側）に配置された、液不透過性のシートである。バックシート２０は、平面視において、おむつ本体部２とほぼ同等の形状を有する。すなわち、バックシート２０は、おむつ本体部２の外側面全体を覆っている。本実施形態のバックシート２０は、プラスチックフィルムにより構成されている。なお、バックシート２０は、プラスチックフィルムとその外側面に貼着された柔軟性の高い不織布とにより構成されていてもよい。また、バックシート２０は、疎水性繊維（ポリプロピレン、ポリエチレン、ポリエステル、ポリアミド、ナイロン等）を用いた撥水性の不織布により構成されていてもよい。
【００３１】
吸収体３０は、吸液性および保液性を有する部材である。図４に示すように、吸収体３０は、トップシート１０とバックシート２０との間に、接着剤９１で固定されている。吸収体３０は、例えば、粉砕したパルプ繊維やセルロース繊維などの親水性繊維と、粒状の高吸収性ポリマー（Superabsorbent Polymer：ＳＡＰ）とを混合した塊を、ティッシュペーパーなどの紙シートまたは透液性不織布シートで被覆したものである。なお、吸収体３０は、高吸収性ポリマーのみをシート状に成形したものであってもよい。
【００３２】
トップシート１０の内側には、側方への体液の漏れを防止するための一対のサイドシート４０が設けられている。一対のサイドシート４０は、おむつ本体部２の左右の側部を覆うように、長手方向に延びている。各サイドシート４０は、疎水性繊維（ポリプロピレン、ポリエチレン等）を用いた撥水性の不織布により構成されている。図４に示すように、一対のサイドシート４０は、幅方向外側の部分が、接着剤９１を介して、他のシートの内側面に貼着されている。サイドシート４０の幅方向内側の部分は、トップシート１０の内側面に貼着されておらず、トップシート１０に対して立ち上がり可能となっている。
【００３３】
サイドシート４０の幅方向内側の側縁部には、長手方向に延びる複数本のサイドシート用弾性部材４１が設けられている。使い捨ておむつ１の製造時には、サイドシート用弾性部材４１が、自然長よりも伸長された状態で、サイドシート４０に取り付けられる。このため、サイドシート用弾性部材４１は、サイドシート４０を長手方向に収縮させる弾性力を発生させる。使い捨ておむつ１を開いたときには、サイドシート用弾性部材４１の弾性力により、サイドシート４０の幅方向内側の側縁部が立ち上がる。これにより、おむつ本体部２の内側面に、一対の起立した堰が形成される。
【００３４】
前腹部２ａおよび後背部２ｂには、幅方向に延びる複数本の腰周り用弾性部材５１が設けられている。腰周り用弾性部材５１は、トップシート１０とバックシート２０との間に、接着剤（図示省略）で固定されている。使い捨ておむつ１の製造時には、腰周り用弾性部材５１が、自然長よりも伸長された状態で、前腹部２ａおよび後背部２ｂに取り付けられる。このため、腰周り用弾性部材５１は、前腹部２ａおよび後背部２ｂを、幅方向に収縮させる弾性力を発生させる。着用者が使い捨ておむつ１を着用したときには、腰周り用弾性部材５１の収縮力により、前腹部２ａおよび後背部２ｂが、着用者の腰周りにフィットする。
【００３５】
また、股部２ｃの幅方向の両側縁部には、長手方向に延びる複数本の脚周り用弾性部材５２が設けられている。脚周り用弾性部材５２は、サイドシート４０とバックシート２０との間に、接着剤（図示省略）で固定されている。使い捨ておむつ１の製造時には、脚周り用弾性部材５２が、自然長よりも伸長された状態で、股部２ｃの両側縁部に取り付けられる。このため、脚周り用弾性部材５２は、股部２ｃの両側縁部を、長手方向に収縮させる弾性力を発生させる。着用者が使い捨ておむつ１を着用したときには、脚周り用弾性部材５２の収縮力により、股部２ｃの両側縁部が、着用者の脚周りにフィットする。
【００３６】
本実施形態では、サイドシート用弾性部材４１、腰周り用弾性部材５１、および脚周り用弾性部材５２に、ポリウレタン製の糸状の弾性部材が、使用されている。ただし、糸状の弾性部材に代えて、ポリウレタンや天然ゴム等を素材とする平板状の弾性部材が使用されてもよい。
【００３７】
また、使い捨ておむつ１は、一対のファスニングテープ６０を備えている。ファスニングテープ６０は、ファスニング本体部６１と、２本のタブ（以下、上タブ６２および下タブ６３という）とを、有している。ファスニング本体部６１、上タブ６２、および下タブ６３は、例えば、ポリプロピレン等の不織布により、一体に形成されている。ファスニング本体部６１の基端部は、後背部２ｂの左右の側縁部に、固定されている。具体的には、サイドシート４０とバックシート２０との間に、ファスニング本体部６１の基端部が、接着剤（図示省略）で固定されている。
【００３８】
上タブ６２および下タブ６３は、ファスニング本体部６１の自由端側の端辺から、幅方向外側へ向けて延びている。上タブ６２および下タブ６３の内側面には、それぞれ、２つの止着部材６４が、接着剤（図示省略）で固定されている。図１〜図３に示すように、２つの止着部材６４は、幅方向に間隔をあけて、配列されている。また、本実施形態では、止着部材６４に、面ファスナーのフック材（雄部材）が用いられている。
【００３９】
一方、図１および図３に示すように、本体部２の前腹部２ａの外側面には、フロンタルテープ７０が設けられている。フロンタルテープ７０は、前腹部２ａの外側面に、接着剤（図示省略）で固定されている。本実施形態では、フロンタルテープ７０に、面ファスナーのループ材（雌部材）が用いられている。上タブ６２および下タブ６３の各止着部材６４は、フロンタルテープ７０の表面の任意の位置に、着脱自在に付着可能となっている。
【００４０】
使い捨ておむつ１を着用するときには、まず、着用者の背面、股間、および腹面に、おむつ本体部２の後背部２ｂ、股部２ｃ、および前腹部２ａを、それぞれ宛がう。続いて、左右のファスニングテープ６０の上タブ６２を、着用者の腹面側へ引き出し、上タブ６２の止着部材６４を、フロンタルテープ７０の表面に止着させる。これにより、使い捨ておむつ１を、着用者の腰周りに固定する。
【００４１】
その後、左右のファスニングテープ６０の下タブ６３を、着用者の腹面側へ引き出し、下タブ６３の止着部材６４を、フロンタルテープ７０の表面に止着させる。このとき、先に止着された上タブ６２の上に、下タブ６３を交差させるようにして、重ね止めする。これにより、着用者の脚周りを締め付け、着用者の脚周りに隙間が発生することを抑制する。
【００４２】
＜２．フロンタルテープの模様について＞
続いて、フロンタルテープ７０に付された模様について、説明する。図５は、フロンタルテープ７０の平面図である。図５に示すように、フロンタルテープ７０は、波形模様８０を有する一対の模様領域７１と、一対の模様領域７１の間に配置された中央領域７２と、を有している。
【００４３】
模様領域７１に付された波形模様８０は、複数の凸形状の図形８１〜８９により構成されている。この例では、図形８１〜８３の幅方向外側に、図形８４〜８６が配置されている。また、図形８４〜８６のさらに幅方向外側に、図形８７〜８９が配置されている。
【００４４】
各図形８１〜８９は、フロンタルテープ７０の中央へ向けて突出した凸形状をなしている。したがって、各図形８１〜８９には、フロンタルテープ７０の幅方向中央へ向かうにつれて股部２ｃ側へ近づくように斜めに延びる第１ガイド線８０ａと、フロンタルテープの幅方向中央へ向かうにつれて股部２ｃから離れるように斜めに延びる第２ガイド線８０ｂとが、含まれている。
【００４５】
図形８１〜８３における第１ガイド線８０ａと第２ガイド線８０ｂとのなす角度θ１は、図形８４〜８６における第１ガイド線８０ａと第２ガイド線８０ｂとのなす角度θ２より、小さい。また、図形８４〜８６における第１ガイド線８０ａと第２ガイド線８０ｂとのなす角度θ２は、図形８７〜８９における第１ガイド線８０ａと第２ガイド線８０ｂとのなす角度θ３より、小さい。すなわち、フロンタルテープ７０の中央に近い図形ほど、第１ガイド線８０ａと第２ガイド線８０ｂとのなす角度が、小さくなっている。
【００４６】
なお、本実施形態のフロンタルテープ７０は、ポリプロピレンフィルム（ＯＰＰフィルム）により構成されるフィルム層の上面に、ナイロン製繊維を格子状に編んだループ層が、接着された構造となっている。上記の波形模様８０は、例えば、接着前のフィルム層に予め印刷しておけばよい。
【００４７】
図６は、フロンタルテープ７０の両側部付近に、上タブ６２と下タブ６３とを止着させたときの様子を示した図である。図６の例では、図形８９の第１ガイド線８０ａに沿って上タブ６２を配置し、図形８７の第２ガイド線８０ｂに沿って下タブ６３を配置している。このため、上タブ６２と下タブ６３とが、図７より大きい角度で重ね止めされる。その結果、着用者の腰周りおよび脚周りが、しっかりと締め付けられる。
【００４８】
図７は、フロンタルテープ７０の中央付近に、上タブ６２と下タブ６３とを止着させたときの様子を示した図である。図７の例では、図形８３の第１ガイド線８０ａに沿って上タブ６２を配置し、図形８１の第２ガイド線８０ｂに沿って下タブ６３を配置している。このため、上タブ６２と下タブ６３とが、図６より小さい角度で重ね止めされる。その結果、腰周りおよび脚周りにおける過度の締め付けが、抑制される。
【００４９】
このように、本実施形態のフロンタルテープ７０には、上タブ６２および下タブ６３の止着角度の目安となる波形模様８０が、印刷されている。波形模様８０中の第１ガイド線８０ａに沿って上タブ６２を配置し、波形模様８０中の第２ガイド線８０ｂに沿って下タブ６３を配置すれば、上タブ６２および下タブ６３を、止着位置に応じた適切な角度で、重ね止めできる。
【００５０】
特に、本実施形態では、第１ガイド線８０ａおよび第２ガイド線８０ｂが、凸形状の図形８１〜８９の一部分となっている。すなわち、一連の凸形状の図形８１〜８９の中に、第１ガイド線８０ａと第２ガイド線８０ｂとの双方が含まれている。したがって、第１ガイド線８０ａおよび第２ガイド線８０ｂを含めつつ、全体の波形模様８０をシンプルなものとすることができる。
【００５１】
また、本実施形態の上タブ６２および下タブ６３は、円弧状の角部６２ａ，６３ａを有している。一方、本実施形態の凸形状の図形８１〜８９は、いずれも、曲線により構成された波形状をなしている。各図形８１〜８９の先端部８０ｃは、円弧状に形成されている。このため、重ね止めの際には、上タブ６２および下タブ６３の角部６２ａ，６３ａを、各図形８１〜８９の先端部８０ｃの近傍に、配置しやすい。
【００５２】
また、本実施形態では、複数の図形８１〜８９が、幅方向だけではなく、長手方向にも配列されている。このため、フロンタルテープ７０における上タブ６２および下タブ６３の長手方向の止着位置を、着用者の体型に応じて選択できる。なお、図６および図７の例では、上タブ６２と下タブ６３とを、別個の図形に沿って配置していたが、上タブ６２と下タブ６３とを、同一の図形に含まれる第１ガイド線８０ａおよび第２ガイド線８０ｂに沿って、配置してもよい。
【００５３】
図形８１〜８９に含まれる第１ガイド線８０ａおよび第２ガイド線８０ｂと、ファスニングテープ６０の上タブ６２および下タブ６３とは、同色または近似色であることが、好ましい。そのようにすれば、第１ガイド線８０ａおよび第２ガイド線８０ｂと、上タブ６２および下タブ６３との対応関係が、視覚的により明確となる。したがって、使用者が、第１ガイド線８０ａおよび第２ガイド線８０ｂに沿って上タブ６２および下タブ６３を配置することを、促すことができる。
【００５４】
また、図形８１〜８９は、全て同じ色で描かれていてもよいが、各図形８１〜８９の色を相違させてもよい。幅方向の位置に応じて図形８１〜８９の色を相違させれば、個々の着用者の体型に適した止着位置を、より特定しやすくなる。また、幅方向の止着位置と、それに適した止着角度を、視覚的に認識しやすくなる。
【００５５】
フロンタルテープ７０の幅方向の中央には、帯状の中央領域７２が、設けられている。中央領域７２には、使い捨ておむつ１のサイズが表記されているものの、波形模様８０は配置されていない。このため、波形模様８０に沿って上タブ６２および下タブ６３を配置しようとすると、中央領域７２への上タブ６２および下タブ６３の止着は、自ずと抑制される。このため、上タブ６２および下タブ６３による過度の締め付けが、さらに抑制される。
【００５６】
＜３．変形例＞
以上、本発明の一実施形態について説明したが、本発明は上記の実施形態に限定されるものではない。
【００５７】
図８は、一変形例に係るフロンタルテープ１７０の平面図である。図８の例では、フロンタルテープ１７０に、複数の略菱形の図形により構成された格子模様１８０が付されている。格子模様１８０には、第１ガイド線１８０ａと第２ガイド線１８０ｂとを有する複数の凸形状の図形１８１〜１９７が、含まれている。そして、フロンタルテープ１７０の中央に近い図形ほど、第１ガイド線１８０ａと第２ガイド線１８０ｂとのなす角度θが、小さくなっている。
【００５８】
したがって、このような格子模様１８０であっても、第１ガイド線１８０ａに沿って上タブを配置し、第２ガイド線１８０ｂに沿って下タブを配置すれば、上タブおよび下タブを、止着位置に応じた適切な角度で、重ね止めできる。
【００５９】
第１ガイド線および第２ガイド線は、図５の例のように、連続した線であってもよいが、図８の例のような点線であってもよい。また、複数の図形や絵柄を規則的に配列することにより、全体として、第１ガイド線および第２ガイド線が認識されるように、構成されていてもよい。また、２つの色領域の境界が、第１ガイド線および第２ガイド線を構成していてもよい。
【００６０】
また、図５や図８の例では、複数の凸形状の図形が、幅方向および長手方向に配列されていたが、図９のように、凸形状の図形２８１〜２８５が、幅方向のみに配列されていてもよい。
【００６１】
図９の例においても、各凸形状の図形２８１〜２８５に、第１ガイド線２８０ａと第２ガイド線２８０ｂとが、含まれている。そして、フロンタルテープ２７０の中央に近い図形ほど、第１ガイド線２８０ａと第２ガイド線２８０ｂとのなす角度θが、小さくなっている。したがって、第１ガイド線２８０ａに沿って上タブを配置し、第２ガイド線２８０ｂに沿って下タブを配置すれば、上タブおよび下タブを、止着位置に応じた適切な角度で、重ね止めできる。
【００６２】
また、上記実施形態のフロンタルテープは、ループ材により構成されていたが、フロンタルテープは、他の素材で構成されてもよい。例えば、フロンタルテープを、起毛させた不織布で構成し、当該不織布に、第１ガイド線および第２ガイド線を含む模様を印刷してもよい。また、止着部材またはフロンタルテープの一方または両方を、粘着材で構成してもよい。
【００６３】
また、フロンタルテープを光透過性の高い材料で構成するとともに、バックシートの表面に、第１ガイド線および第２ガイド線を含む模様を、印刷してもよい。このような形態であっても、フロンタルテープに透写された模様に沿って、上タブおよび下タブを配置することができる。
【００６４】
また、上記の実施形態では、ファスニングテープは、ファスニング本体部を有していたが、本発明のファスニングテープは、必ずしもファスニング本体部を有するものでなくてもよい。例えば、上タブおよび下タブのそれぞれの基端部が、後背部の両側部に、直接的に接合されていてもよい。
【００６５】
また、本発明のおむつは、着用者の尿だけではなく、軟便等の他の体液を吸収するものであってもよい。また、本発明のおむつは、成人を対象としたものであってもよく、幼児を対象としたものであってもよい。
【００６６】
また、上記の実施形態や変形例に登場する各要素を、矛盾が生じない範囲で、適宜に組み合わせてもよい。
【符号の説明】
【００６７】
１  使い捨ておむつ
２  おむつ本体部
２ａ  前腹部
２ｂ  後背部
２ｃ  股部
１０  トップシート
２０  バックシート
３０  吸収体
４０  サイドシート
６０  ファスニングテープ
６１  ファスニング本体部
６２  上タブ
６３  下タブ
６２ａ，６３ａ  角部
６４  止着部材
７０，１７０，２７０  フロンタルテープ
７１  模様領域
７２  中央領域
８０  波形模様
８０ａ，１８０ａ，２８０ａ  第１ガイド線
８０ｂ，１８０ｂ，２８０ｂ  第２ガイド線
８０ｃ  先端部
８１〜８９，１８１〜１９７，２８１〜２８５  図形
１８０  格子模様
θ，θ１，θ２，θ３  角度
【図１】
0005572526.tif 000002
【図２】
0005572526.tif 000003
【図３】
0005572526.tif 000004
【図４】
0005572526.tif 000005
【図５】
0005572526.tif 000006
【図６】
0005572526.tif 000007
【図７】
0005572526.tif 000008
【図８】
0005572526.tif 000009
【図９】
0005572526.tif 000010